Podtech/llm-jp-corpus-v4-ja_patent huggingface dataset:
(57)【要約】【課題】      ロウソクは、風に吹き消されやすく、小さな光源としてしか利用できない欠点があった。そこで、本実用新案では、風に吹き消されにくく、高輝度の光源とする事も出来、又、暖房用としても利用できる、面芯ロウソクを提供しようとするものである。【解決手段】      面芯ロウソクは、ロウソクに、ガラス又は、紙又は、合成樹脂又は、化学性シート又は、コルク又は、木材又は、布又は、不織布又は網、等の材料で作られた面芯板をロウソクに埋め込み形成し、点火することで、風に吹き消されにくく、しかも、高輝度の光源とすることが可能に出来る。又、面芯板を平面状や、多角形状や、環状に埋め込み形成することも出来る。又、面芯板は、平板や、ダンボールや、網状のものを単数枚又は、複数枚重ねたものを用い、形成することも出来る。又、消火用蓋を密閉することで消火することが可能となる。【選択図】図１
0003128746.tif 000002
【実用新案登録請求の範囲】
【請求項１】
ガラス又は、紙又は、合成樹脂又は、化学性シート又は、コルク又は、木材又は、布又は、不織布又は網、等の材料で作られた、面芯板をロウソクに埋め込み形成したことを特徴とする面芯ロウソク。
【請求項２】
面芯板を平面状又は、多角形状又は、環状又は、曲面形状又は、文字形状又は、半円弧状又は、波型状等に形成、及び、それらを複数種類組み合わせして形成したことを特徴とする請求項１記載の面芯ロウソク。
【請求項３】
面芯板は、平板又は、ダンボール又は、網状のものを単数枚又は、複数枚重ねたものを用い、燃焼部分を点から線状、もしくは面状にできることを特徴とする、請求項１又は２記載の面芯ロウソク。
【請求項４】
面芯ロウソクは、筒又は、容器に装填できることを特徴とする、請求項１又は２又は３記載の面芯ロウソク。
【考案の詳細な説明】
【技術分野】
【０００１】  本実用新案は、ロウソクの燃焼部分を点から線状、もしくは面状にできる面芯ロウソクに関する。
【背景技術】
【０００２】  従来、ロウソクは、線状の芯に、点火することによって、燃焼を可能とし、提灯の光源に代表されるように、火種若しくは、点光源としての利用範囲になっていた。
【考案の開示】
【考案が解決しようとする課題】
【０００３】  しかしながら、ロウソクは、風に吹き消されやすく、小さな光源としてしか利用できない欠点があった。そこで、本実用新案では、風に吹き消されにくく、高輝度の光源とする事も出来、又、暖房用としても利用できる、面芯ロウソクを提供しようとするものである。
【課題を解決するための手段】
【０００４】  本実用新案では、上記課題を完遂する手段として、面芯ロウソクは、ロウソクに、ガラス又は、紙又は、合成樹脂又は、化学性シート又は、コルク又は、木材又は、布又は、不織布又は網、等の材料で作られた面芯板をロウソクに埋め込み形成し、そこへ、点火することで、風に吹き消されにくく、しかも、高輝度の光源とすることが可能に出来る。又、面芯板を平面状や、多角形状や、環状に埋め込み形成することも出来る。又、面芯板は、平板や、ダンボールや、網状のものを単数枚又は、複数枚重ねたものを用い、形成することも出来る。又、消火用蓋を密閉することで消火することが可能となる。
【考案の効果】
【０００５】  上記構成からなる本考案の面芯ロウソクによると、ロウソクの燃焼部分を、風に吹き消されにくく、しかも、点から線状、もしくは面状にできる等の特長がある。
【考案を実施するための最良の形態】
【０００６】  本実用新案に係る面芯ロウソクを、図面にて明示し解説すると、符号１は、面芯板、符号２は、ロウソク、符号３は、容器、符号４は、消火用蓋を示し、符号１の面芯板へ、点火することができる。又、符号４の消火用蓋を密閉することで消火することが可能となる。
【実施例】
【０００７】  本実用新案に係る面芯ロウソクを、図面にて明示し解説すると、符号１は、面芯板、符号２は、ロウソク、符号３は、容器、符号４は、消火用蓋を示し、符号１の面芯板へ、点火することで、風に吹き消されにくく、  しかも、高輝度の光源とすることが可能となる。又、符号４の消火用蓋を密閉することで消火することが可能となる。
【産業上の利用可能性】
【０００８】  本実用新案に係る面芯ロウソクは、  芯部分を線状のものから面状のものへとしたことにより、風に吹き消されにくく、文字形の炎を形成したり、大型の光源とする事により照明用としても利用出来、又、野外用のコンロや暖房用としても利用でき、水をかぶって消火した直後であっても再点火することが可能であり、防災用品として災害時用にも利用可能な面芯ロウソクを提供しようとするものである。
【図面の簡単な説明】
【０００９】
【図１】本考案の面芯ロウソクを、容器に装填させた状態を示した斜視図である。
【図２】本考案の面芯ロウソクを示した上面図である。
【図３】本考案の面芯ロウソクの面芯板を、平面状や、多角形状、環状や、曲面形状、及び、文字形状の場合のものを示した上面図である。
【符号の説明】
【００１０】  １  面芯板
２  ロウソク
３  容器
４  消火用蓋
【図１】
0003128746.tif 000003
【図２】
0003128746.tif 000004
【図３】
0003128746.tif 000005
(57)【要約】【課題】  乳幼児の居住する家庭内においてシュレッダーによる、手指のケガが多く有った。【解決手段】  廃紙差し入れ口と、シュレッダーの刃までの距離を長くして、小さな手でも、シュレッダーの刃に届かなくした。【選択図】図１
0003128750.tif 000002
【実用新案登録請求の範囲】
【請求項１】
フタ内部にモーター３及びシュレッダーの刃４からなるシュレッダーを具備し、コブ部を有するフタ２を設け、このフタ２を支える裾野２Ｂの部分からなる、フタ体の内部に廃紙通路１がシュレッダー刃４に直角に廃紙をかみ込むように設けられ、コブ部と裾野の存在によって廃紙差し入れ口５からシュレッダーの刃を遠ざけた構造としたシュレッダー。
【考案の詳細な説明】
【技術分野】
【０００１】  本考案は廃紙する紙を細断するシュレッダーにおいて、細断する廃紙差し入れ口と細断する刃をフタの形状により遠ざけたものである。
【背景技術】
【０００２】  従来のシュレッダー装置においては、廃紙差し入れ口とシュレッダーの刃の間隔が短かった。
【考案の開示】
【考案が解決しようとする課題】
【０００３】  乳幼児の居住する家庭内において、乳幼児がシュレッダーの廃紙差し入れ口に手を差し入れ、指を切断する事故が往々にしてあった。
【課題を解決するための手段】
【０００４】  本考案は、シュレッダーの廃紙差し入れ口とシュレッダーの刃までの距離を出来る限り長くとる為、図１の形体とし、箱体の内部に廃紙導入路を設け、廃紙を導き細断する。以上の構造であるから、幼児の指も届かないようにしたものである。
【考案の効果】
【０００５】  上述のように、細い乳幼児の指でも廃紙差し入れ口に指を差し入れても指がシュレッダーの刃に届かず、指を切断すると云う、痛ましい事故が防げた。
【考案を実施するための最良の形態】
【０００６】  シュレッダーを具備する図１に示すように、フタの部分に瘤状を設けた形状であるから廃紙差し入れ口から、シュレッダーの刃までの距離が長くとれ、細く小さな乳幼児の手指も、廃紙差し入れ口から手指を差し入れても、シュレッダーの刃まで届かない。それゆえ、廃紙差し入れ口を従来通りの幅が保たれ、幅を小さくする事が必要でなくなり、効率を下げる心配はない。
【実施例】
【０００７】  以下、添付図面に沿って一実施例を説明する。廃紙通路１は２の形体によって略２の直径以上の長さを有する廃紙通路である。３はシュレッダーのモーターであり、４はシュレッダーであり、モーターと歯車で連結され廃紙を細断する。５は廃紙を細断すべく、設けられた差し入れ口である。６はゴミ箱である。７は電気のコードコネクターである。８は大きな廃紙を差し入れ口５に導くための廃紙背もたれである。９は廃紙である。１０は細断された廃紙である。１１はシュレッダー４の直下にあり細断された廃紙をゴミ箱６の中心部に落下さすためのガイドである。１２と１３はシュレッダーの電源である。１３はシュレッダーのモーターを駆動するためのスイッチである。
【図面の簡単な説明】
【０００８】
【図１】本考案の一部切欠側面の断面図である。
【符号の説明】
【０００９】［１］  廃紙通路
［２］  コブ部
［２Ｂ］裾野
［２Ｂ］裾野
［３］  モーター
［４］  シュレッダーの刃
［５］  廃紙差し入れ口
［６］  ゴミ箱
［７］  コードコネクター
［８］  廃紙背もたれ
［９］  廃紙
［１０］細断された廃紙
［１１］案内板
［１２］キャップ
［１３］シュレッダーのスイッチ
［１４］コード
【図１】
0003128750.tif 000003
(57)【要約】【課題】  紫外線から身を守り、おしゃれ感のある日焼け止め着衣を提供する。【解決手段】  暑い上着、暑い手袋を一体化する事により、快適かつおしゃれな紫外線防止着衣を使用者に届ける為に提案した。【選択図】図１
0003128747.tif 000002
【実用新案登録請求の範囲】
【請求項１】
紫外線の透過を抑制する加工がされた布地又は、繊細でしなやかな布地を使用した上着であって、手首と手の甲を覆うピエロ袖の広い袖である事を特徴とする日焼け止め防止用上着。
【請求項２】
前記ピエロ袖の広い袖が手首に向かい幅広く、手甲部の先端部に止めゴムを取り付けた請求項１記載の上着。
【考案の詳細な説明】
【技術分野】
【０００１】  本考案は、人体の腕、手首、手の甲等の皮膚が、強い太陽光の紫外線により、日焼けをしないようにした上着である。
【背景技術】
【０００２】  気温が高くなると皮膚の露出部が多くなり、本来の日焼け防止上着などは、１枚着る事により１枚分の温かさを感じた物である。女性は、夏などや四季おりおり車に乗る機会が多くなり、太陽光の紫外線を直接皮膚に浴び日焼けをすることが多い。
【考案の開示】
【考案が解決しようとする課題】
【０００３】  日焼けは、シミ、あざ、がん等の原因になると共に、色白を好む女性のもっとも深刻な問題である。従来の日焼け防止上着は、１枚羽織り、なおかつ手袋を着用した物であるが、半袖上着と長手袋の間の少しのすきまが大変気になり、なおかつ手袋は大変暑く感じた物である。本考案の日焼け防止上着は、車の座席に座り、前から袖を通す事により、背中の部分が無い為、服１枚分の涼しさと共に、手軽さ、なおかつ他の車から見て、１枚羽織った感覚。
【課題を解決するための手段】
【０００４】  第一の考案は、紫外線の透過を抑制する加工がされた布地又は、繊細でしなやかな布地を使用した上着であって、手首と手の甲を覆うピエロ袖の広い袖である事を特徴とする日焼け止め防止用上着である。脇から袖口に向かって太くなっている為、ハンドル横の通風口からの風が太い袖口から腕に入り、大変涼しく感じるとともに、袖丈は少々長めに取り、太い袖の為、動きが楽である。【０００５】  第二の考案は、前記ピエロ袖の広い袖が手首に向かい幅広く、手甲部の先端部に止めゴムを取り付けた上着である。
【考案の効果】
【０００６】  上述したように、本考案の日焼け止め上着は、使用者が、暑い日差しと紫外線から身を守る事ができる上着である。
【産業上の利用可能性】
【０００７】  助手席に座った場合においても、手軽に持ち運びができ、紫外線から身を守ることができる利点がある。
【図面の簡単な説明】
【０００８】
【図１】本考案の日焼け防止上着の前から見た図である。
【図２】本考案の日焼け防止上着の後から見た図である。
【図３】本考案の日焼け防止上着を着用した時の袖部と手甲部の正面図である。
【図４】本考案の日焼け防止上着を着用したときの手と手甲部の関係を示す斜視図である。
【図５】本考案の日焼け防止上着を着用した時の側面図である。
【符号の説明】
【０００９】１  前身頃
２  後身頃
３  ピエロ袖の広い袖
４  中指通しのゴム
５  大きな波の様なフリル
６  本考案の上着
７  開口部
【図１】
0003128747.tif 000003
【図２】
0003128747.tif 000004
【図３】
0003128747.tif 000005
【図４】
0003128747.tif 000006
【図５】
0003128747.tif 000007
(57)【要約】【課題】  刃物のシャフトに設置されるチャックを強く締め付けることにより、刃物を確実に固定するナットを提供する。【解決手段】  ナット本体を有し、該ナット本体の表面に耐摩耗性を有する被覆層が設けられることを特徴とする。【選択図】  図１
0003128766.tif 000002
【実用新案登録請求の範囲】
【請求項１】
ナット本体を有し、該ナット本体の表面に耐摩耗性を有する被覆層が設けられることを特徴とする耐摩耗性を有する被覆層を備えるナット。
【請求項２】
前記耐摩耗性を有する被覆層は、ニッケルコバルト合金層であることを特徴とする請求項１に記載の耐摩耗性を有する被覆層を備えるナット。
【請求項３】
前記耐摩耗性を有する被覆層は、ポリテトラフルオロエチレン層であることを特徴とする請求項１に記載の耐摩耗性を有する被覆層を備えるナット。
【考案の詳細な説明】
【技術分野】
【０００１】
本考案は、特に耐摩耗性を有する被覆層を備え、ビットなどの刃物を固定するチャックを締め付けるためのナットに関するものである。
【背景技術】
【０００２】
従来のナットは、ビットなどの刃物のシャフトに取り付けて、該シャフトに設置されるチャックを締め付けて使用する。また、さび止めのために通常は、該ナットの表面に黒い金属層がメッキされる。
【考案の開示】
【考案が解決しようとする課題】
【０００３】
しかしながら、前記金属層はさびを防止することはできるが、該ナットの表面の硬度を改善することはできない。また、通常はナットをシャフトに取り付けてから、手工具などでナットをシャフトに螺合することにより、チャックを締め付けて刃物を固定するが、これではナットの表面が手工具との摩擦により破壊される恐れがあるので、ナットを強固にシャフトに螺合することができない。
【０００４】
そこで、案出されたのが本考案であって、特にニッケルコバルト合金やポリテトラフルオロエチレンなどの耐摩耗性を有する被覆層を備えることにより、表面が破壊され難いナットを提供することを目的としている。
【課題を解決するための手段】
【０００５】
本願の請求項１の考案は、ナット本体を有し、該ナット本体の表面に耐摩耗性を有する被覆層が設けられることを特徴とする耐摩耗性を有する被覆層を備えるナット、を提供する。
【０００６】
本願の請求項２の考案は、前記耐摩耗性を有する被覆層は、ニッケルコバルト合金層であることを特徴とする請求項１に記載の耐摩耗性を有する被覆層を備えるナット、を提供する。
【０００７】
本願の請求項３の考案は、前記耐摩耗性を有する被覆層は、ポリテトラフルオロエチレン層であることを特徴とする請求項１に記載の耐摩耗性を有する被覆層を備えるナット、を提供する。
【考案の効果】
【０００８】
本考案は上記の課題を解決するものであり、ナットの表面に耐摩耗性を有する被覆層を設けることにより、ナットの表面が破壊され難くなるので、該ナットを強固に前記シャフトに螺合し、チャックを強く締め付けることにより、優れた固定効果を提供できる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る耐摩耗性を有する被覆層を備えるナットの実施例を示す斜視図であり、図２は本考案に係る耐摩耗性を有する被覆層を備えるナットの実施例を示す断面図であり、図３は本考案に係る耐摩耗性を有する被覆層を備えるナットの実施例の使用状態を示す断面図である。
【００１１】
図１及び図２に示すように、本考案はビットなどの刃物のシャフトに取り付けられ、該シャフトに設置されるチャックを締め付けるナット本体（１０）を有し、該ナット本体（１０）の表面に耐摩耗性を有する被覆層としてニッケルコバルト合金層（１１）がメッキされる。
【００１２】
本考案における耐摩耗性を有する被覆層は、前記実施例ではニッケルコバルト合金層（１１）を採用しているが、該ナット本体（１０）の表面に、例えばテフロンなど、ポリテトラフルオロエチレンを用いたポリテトラフルオロエチレン層を真空メッキしてもよく、或いは前記ナット本体（１０）の表面にポリテトラフルオロエチレン層を化学的方法により結合し、もしくは焼結させてもよい。
【００１３】
図３に示すように、本考案を使用する時は、ナット本体（１０）を刃物のシャフト（２０）に取り付けてから、刃物を固定するために、該ナット本体（１０）をシャフト（２０）に螺合する。これにより、チャック（２１）を締め付ける時、前記耐摩耗性を有する被覆層で該ナットの表面の破壊を防止できるので、強固に該ナット本体（１０）を螺合して、該チャック（２１）を確実に締め付けることができる。
【産業上の利用可能性】
【００１４】
本考案における耐摩耗性を有する被覆層によれば、刃物のシャフトに設置されるチャックを強く締め付けることにより、刃物を確実に固定することができる。
【図面の簡単な説明】
【００１５】
【図１】本考案に係る耐摩耗性を有する被覆層を備えるナットの実施例を示す斜視図である。
【図２】本考案に係る耐摩耗性を有する被覆層を備えるナットの実施例を示す断面図である。
【図３】本考案に係る耐摩耗性を有する被覆層を備えるナットの実施例の使用状態を示す断面図である。
【符号の説明】
【００１６】
１０        ナット本体
１１        ニッケルコバルト合金層
２０        シャフト
２１        チャック
【図１】
0003128766.tif 000003
【図２】
0003128766.tif 000004
【図３】
0003128766.tif 000005
(57)【要約】【課題】この考案は姿勢矯正に役立つもので、従来の一本のひも状帯状部材を、伸縮性を有する８の字状帯状部材にすることにより、ワンタッチ装着を可能にして手軽さを提供するものである。【解決手段】巾７から８センチメートルの輪状にした伸縮性を有する布を肩幅に合わせて８の字状に作る。【選択図】図１
0003128767.tif 000002
【実用新案登録請求の範囲】
【請求項１】
姿勢矯正に関するもので、ワンタッチ装着を可能にした８の字状帯状部材。
【考案の詳細な説明】
【技術分野】
【０００１】
本考案は、姿勢矯正がなされるように、伸縮性を有する布で作ったワンタッチ装着が可能な帯状部材に関するものである。
【背景技術】
【０００２】
従来のたすき状帯状部材は一本のひも状で、８の字に掛けなければならなかった。
【考案の開示】
【考案が解決しようとする課題】
【０００３】
解決しようとする問題点は、従来のものは一本のひも状で、身体に順を追って掛けていって最後に結ばなければならなかった。それを伸縮性を有する布で８の字状に作り、ワンタッチで装着できるようにしたことで解決する。
【課題を解決するための手段】
【０００４】
巾７から８センチメートルの輪状にした伸縮性を有する布を肩幅に合わせて８の字状に作る。
【考案の効果】
【０００５】
着衣の上からでも簡単に装着できる。装着することにより肩を後ろに引く力が生じ、良い姿勢が容易にとれる用になる。日常生活時はもとより、運動時装着も運動効果を上げる。
【考案を実施するための最良の形態】
【０００６】
本考案は、図１で示すように巾７から８センチメートルの輪状にした伸縮性を有する布を肩幅に合わせて８の字に作りあげることにより、ワンタッチ装着が可能になる。その作用は猫背になりやすい姿勢を、装着により肩が後ろに引けて、良い姿勢が容易にとれることを可能にしている。
【図面の簡単な説明】
【０００７】
【図１】本体
【符号の説明】
【０００８】
１  帯状部材本体
２  止め付け位置
【図１】
0003128767.tif 000003
(57)【要約】【課題】従来の看護において着用される作業靴は、ストレッチャーのキャスターで指をぶつけたり引かれたりすることにより、指の爪が剥がれたりする怪我の問題があり、安全にして快適な作業が得られる看護業務用安全靴１の提供を行う。【解決手段】爪先甲被３の内側に耐圧度及び衝撃吸収性においてＪＩＳ−Ｌ級基準をクリアする樹脂製先芯４を設け、甲被２は通気性の有るメッシュ素材をして発汗性を有する事により、従来の看護用サンダルシューズと同等の快適性を有するとともに、安全に作業が可能な看護業務用安全靴１の提案をする。【選択図】図２
0003128734.tif 000002
【実用新案登録請求の範囲】
【請求項１】
通気性のあるメッシュ素材を甲被２に使用してなる看護用シューズにおいて、爪先甲被３の内側に耐圧度及び衝撃吸収性がＪＩＳ−Ｌ級基準をクリアする樹脂製先芯４を設けてなる看護業務用安全靴１。
【考案の詳細な説明】
【技術分野】
【０００１】本考案は、看護業務用の靴において甲被２に通気性のあるポリエステル，ナイロン等のメッシュ素材を使用し、爪先甲被３の内側に耐圧度及び衝撃吸収性においてＪＩＳ−Ｌ級基準をクリアする樹脂製先芯４を設けることにより、通気性と安全性を兼ね備えた看護業務用安全靴１の構造に関するものである。
【背景技術】
【０００２】従来、看護業務用の靴（通称：ナースシューズ）は、衛生面、作業性、軽量性等について重視された構造となっており、サンダルを中心に一部シューズでの構造で提案されていますが、近年の高齢化現象により、従来の看護を中心とした仕事から、より体に負荷のかかる介護業務を目的とした仕事内容が増加しきており、爪先部分に負荷のかかる作業内容も多くあり、従来の看護業務用の靴では、爪先が保護できないという問題点を有していた。
【考案の開示】
【考案が解決しようとする課題】
【０００３】本考案では、爪先部分に負荷がかかった場合、爪先甲被３の内側に設けられた耐圧度及び衝撃吸収性においてＪＩＳ−Ｌ級基準をクリアする樹脂製先芯４を設けることにより、例えばスレレッチャーのキャスターで指をぶつけたり引かれたりしても、爪先甲被３の内側に設けられた樹脂製先芯４により指が保護され、指の爪が剥がれたりする怪我の問題もなく、安全な作業が可能な看護業務用安全靴１の構造を提案するものである。
【課題を解決するための手段】
【０００４】上記問題点を解決するため、本考案における看護業務用安全靴１の構造としては、爪先甲被３の内側に耐圧度及び衝撃吸収性に優れたＪＩＳ−Ｌ級基準をクリアする先芯が使用される。先芯の素材としても従来の安全靴の鉄芯では、看護業務用の靴としては重量が重く作業性が悪いため、軽量化したウレタン、ナイロン、ポリプロピレン、フェノール、ＡＢＳ、ポリカーボネート等の樹脂製先芯４を使用した構造とする。甲被３素材においても、サンダルと比較して蒸れ易いためナイロン、ポリエステル等のメッシュ素材の材質で構成し、通気性を改善した構造とする。
【考案の効果】本考案は、上述のとおり構成されているので、次に記載する効果を奏する。【０００５】本考案における看護業務用安全靴１においては、爪先甲被３の内側に樹脂製先芯４を設けているので、歩行時に爪先甲被３に負荷がかかっても樹脂製先芯４により指が保護され、指先が怪我をすることなく安全な構造となっている。【０００６】さらには、先芯に樹脂製先芯４を使用しているため、通常の看護業務用靴と比較しても、従来の鉄芯を使用した安全靴と比較して軽量化が図られているため、快適な作業性が得られる。また、本考案では甲被２の素材に通気性のあるメッシュ素材を使用することにより、靴でありながらサンダルと同じレベルの通気性を有し、靴内部が蒸れない構造となっている。
【考案を実施するための最良の形態】
【０００７】看護業務用安全靴１の構造としては、使用される樹脂製先芯４の強度が耐圧度試験及び衝撃性試験において、中底５と樹脂製先芯４の隙間がＪＩＳ−Ｌ級基準をクリアするポリカーボネ−ト樹脂が使用されることにより強度と軽量化が図られ、甲被２にポリエステルのメッシュ素材を使用することにより通気性もあり、安全性、軽量化、通気性を可能とした看護業務用安全靴１を提案するものである。
【実施例】
【０００８】本考案の実施の形態について一実施例について図面に基づいて説明すると、図２において樹脂製先芯４の素材としてはポリカーボネート材質で成型された先芯が使用され、甲被２の素材としては、ポリエステルのメッシュ素材が使用されている。靴底については、底面部は天然ゴムと合成ゴムで構成される加硫ゴムシートをもちいて、中間部には軽量化の為にＥＶＡスポンヂをもちいて、底面部と中間部をウレタン系またはクロロプレン系接着剤で貼着加工された靴底が使用される。【０００９】  また、図２において、使用される樹脂製先芯４の強度が耐圧度試験における圧迫試験条件が圧迫力４．５ＫＮで、衝撃吸収性における衝撃性試験条件が衝撃エネルギー３０Ｊ、落下高さ１５ｃｍにおいて、中底と先芯の隙間がサイズ２３ｃｍ以下では１２．５ｍｍ以上、２３．５〜２４．５では１３ｍｍ以上、２５〜２５．５ｃｍでは１３．５ｍｍ以上、２６〜２７ｃｍでは１４ｍｍ以上、２７．５〜２８．５ｃｍでは、１４．５ｍｍ以上、２９ｃｍでは１５ｍｍ以上の隙間があるポリカーボネート樹脂で成型された樹脂製先芯４が使用される。【００１０】一般的に、安全靴といえば先芯に鉄製の心材が使用されるため非常に重量が重く、看護業務での作業には非常に不向きな構造となっていますが、強度があり軽量化の可能な樹脂製先芯４を使用することにより、看護業務の作業においても支障のない重量で安全靴とすることが可能であり、従来品と比較しても重量に違和感を感じない構造となっています。【００１１】甲被２の素材についても、従来から使用されているサンダルの履きごこちに近づけるため、靴でありながらポリエステルのメッシュ素材を使用することにより靴内部の蒸れもほとんど感じない構造となっています。
【産業上の利用可能性】
【００１２】近年、高齢者の増加に伴い介護を必要とした病院での患者の人口が増加してきており、従来の看護業務内容が大きく変わってきています。病院内では車椅子での移動、ストレッチャーによる患者の移動業務等が増えており、指先をキャスターに引かれたり、ぶつけたりするケースが多く、指の爪を剥がしたりする怪我が増えてきており、従来の看護業務用の靴では指先の保護が対応できない構造となっています。
本考案の看護業務用安全靴１は、爪先甲被３内部に樹脂製先芯４を装着し、甲被２にメッシュ素材を使用することにより、従来からの軽量、通気性等の機能を維持しながら、樹脂製先芯４による指先の保護を可能とした看護業務用安全靴１を提案するものである。
【図面の簡単な説明】
【図１】看護業務用安全靴の側面図
【図２】図１のＡ−Ｂ線断面図
【符号の説明】
１  看護業務用安全靴
２  甲被
３  爪先甲被
４  樹脂製先芯
５  中底
【図１】
0003128734.tif 000003
【図２】
0003128734.tif 000004
(57)【要約】【課題】  本考案は煩雑しすぎて広告効果の弱まったのぼり旗に、ＬＥＤ式のぼり旗ポールライトを取り付けることにより、のぼり旗の宣伝広告視認効果を上げる。【解決手段】  本考案は既存ののぼり旗に、１を取り付けバンドで付けることで、２によりのぼり旗ポールが光っている様に見えることで、自然と人の目が旗に注目する。且つ、旗竿のタイプを選ばず装着できる為、利用者の導入も簡単である。【選択図】図１
0003128740.tif 000002
【実用新案登録請求の範囲】
【請求項１】
（イ）管材の上下部にシリコン材の防水蓋が付いている。
（ロ）本体下部に制御基板があり、当該制御基板からケーブルを引いてその間に発光素子であるＬＥＤを用いてある。
（ハ）管材の本体は曲がる材質なので取り付け場所がある程度曲がっていても取り付けられる。
以上（イ）、（ロ）、（ハ）、の構造から成るＬＥＤ式のぼり旗ポールライト。
【考案の詳細な説明】
【技術分野】
【０００１】  本考案は、のぼり旗の宣伝広告視認効果を良くするＬＥＤ式ポールライトに関するものである。
【背景技術】
【０００２】  のぼり旗は、業種を問わず煩雑にあり過ぎる為、せっかくコストをかけて広告しても人の目に止まりづらい現状がある。
【考案の開示】
【考案が解決しようとする課題】
【０００３】  のぼり旗は、広告手段としての普及率も高く、よく見かける事もあってせっかくたてても旗に目を向ける人は実際には少ない。そこで旗ポールが光っている様に見せることによって反射的に人の目を向け前述の欠点を解決しようとするものである。
【課題を解決するための手段】
【０００４】  本考案は、旗ポールを光って見せる為にパイプ内部に電球などに比べ長寿命且つ、省電力のＬＥＤを使用し本体上下部を防水処理することにより屋外でも使用でき、ソフト書き込み式基板により業種に合った点灯方法を作る事も可能で、既存のどんなタイプの旗竿にも取り付けられる為、利用者の導入がしやすい。
【考案の効果】
【０００５】  上述の様に、本考案のＬＥＤ式のぼり旗ライトは現在使用しているのぼり旗の視認効果を上げることは勿論、違うタイプの旗に変更しても付け替えができる為、コスト面でもメリットがある。
【考案を実施するための最良の形態】
【０００６】  のぼり旗ポール部の旗本体位置部位にＬＥＤ式のぼり旗ライトを、取り付けバンドで固定し取り付ける。
【実施例】
【０００７】  以下、添付図面に従って一実施例を説明する。１はプラスチック等適宣素材にて一体化されたＬＥＤ式のぼり旗ライト本体、２は発光素子であるＬＥＤ，３は発光素子及び制御基板をつなぐケーブルであり、これにより点灯する旗ライトをのぼり旗に取り付ける。【０００８】  ４は業種別、使用場所等によって点灯方法を設定制御するソフト書き込み式制御基板で、これにより点灯のしかたを決定する。６はプラスチック等適宣素材で発光素子、制御基板等の本体内部でのずれを防止する。５はシリコン等適宣素材によって本体外部からの防水材で、これにより屋外での使用が可能となる。【０００９】  本考案の一実施例は上述の如き構成から成るものであるから屋内の旗へ用いることは勿論であるが、屋外の旗へ利用する事により旗の広告宣伝視認効果を増大させることが期待できる。
【図面の簡単な説明】
【００１０】
【図１】本考案のＬＥＤ式のぼり旗ライトの一実施例を示す正面図である。
【図２】本考案の変形例を示す正面図である。
【符号の説明】
【００１１】１  管材
２  発光素子であるＬＥＤ
３  ケーブル
４  発光素子制御基板
５  防水処理材
６  ストッパー
【図１】
0003128740.tif 000003
【図２】
0003128740.tif 000004
(57)【要約】      （修正有）【課題】名刺を受け取った側が手書きで住所録や電話帳に書き写すことなく簡単に名刺の情報を転記し保存整理ができ、パンフレットなどの営業用資料にも名刺に記載した同じ情報を簡単に添付できる名刺にする。【解決手段】名刺裏面の一部分または全面をシールにし、このシール部分にあらかじめ表面記載と同じの社名、住所、氏名、電話番号などの情報を印刷しておくことで住所録や電話帳などに転記し保存整理を行うときに手書きで書き写すことなくシールを名刺裏面から剥がし住所録や電話帳などに貼り付けることで簡単に転記を行うことができる。シール部分を剥がして住所録や電貼るだけで簡単に転記ができ、パンフレットなどの営業用資料に貼り付けることで脱落することなく簡単、確実に添付することができる。【選択図】図２
0003128735.tif 000002
【実用新案登録請求の範囲】
【請求項１】
名刺の裏面の一部または全面がシール機能を有する名刺で、住所録や電話帳などに手書きで書き写す事なく、あらかじめ必要な情報をシール部分に印刷をし、このシールを剥がして住所録、電話帳などに貼り  転記することができる名刺である。
【考案の詳細な説明】
【考案の属する技術】
【０００１】本考案は、受け取った名刺を住所録や電話帳などに書き写す手間を省き簡単に名刺に記載された情報を住所録や電話帳に転記できるように考案されたシール付きの名刺に関するものである。
【背景技術】
【０００２】従来の名刺は受け取った人が、住所録や電話帳などに手書きで書き写すか、スキャナーで読み取りパソコンなどに保存整理している。
また、名刺を営業用のパンフレットなどにクリップなどで挟みとめて担当者であることをアピールしている。
【考案が解決しようとする課題】
【０００３】このため従来の名刺は住所録や電話帳などに転記し保存整理をするのに手間がかかる。
パンフレットなどに挟みとめても簡単にはずれてしまうなどの問題があった。
【課題を解決するための手段】
【０００４】この問題を解決するために、名刺裏面の一部分または全面をシールにし、このシール部分に表面に記載した情報と同じ社名、住所、電話番号、メールアドレスなどの情報をあらかじめ印刷しておくことで、手書きで書き写すことなく，シールを剥がし貼るだけで保存整理ができパンフレットなどからも剥がれ落ちることがなくなる。
【特許文献１】
【考案の開示】
【考案が解決しようとする課題】
【０００５】解決しようとする問題点は、受け取った名刺を簡単に住所録や電話帳に転記し保存整理できるか、パンフレットなどに添付してもはずれ落ちることなくできるかが課題である。
【課題を解決する手段】
【０００６】本考案は、名刺裏面の一部分または全面をシールにし、シール部分に表面と同じ情報をあらかじめ印刷しておきシールを剥がし、貼るだけで簡単に転記でき、パンフレットなどに貼り付けることで、添付してもはずれ落ちることもない名刺である。
【考案の効果】
【０００７】本考案のシール付き名刺は住所録や電話帳に簡単に転記ができ、印刷された文字は手書き文字より小さくても解読できできるので小スペースで保存整理ができる利点があり、パンフレットなどに貼り付ければ剥がれ落ちることもない利点がある。
【考案を実施するための最良の形態】
【０００８】名刺の裏面の一部分または全面をシールにし必要な情報を印刷できる面積をあらかじめ設定し、この部分のシールのみををトムソンで切り抜き剥がせる構造が最良の形態である。
【実施例１】
【０００９】図１は通常の名刺の表面であり図２は名刺の裏面を表し図２▲１▼はシール部分のみを剥がすために切りぬいた部分であり図２▲２▼は必要な情報を印刷したシールでありこの部分を剥がし住所録や電話帳に貼ることを実現した。
【産業上の利用可能性】
【００１０】以上説明したように本実案のシール付き名刺は、簡単に住所録や電話帳に転記保存整理ができるほかにパンフレット等に貼ることで脱落することも無く担当者をアピールでき営業マンには最適である。
【図面の簡単な説明】
【００１１】
【図１】名刺の表面図面
【図２】名刺の裏面の図面
【符号の説明】
【００１２】  ▲１▼シール部分の切取線
▲２▼必要な情報印刷するシール部分
【図１】
0003128735.tif 000003
【図２】
0003128735.tif 000004
(57)【要約】【課題】  ルーズリーフ紙の余白部分になる事が多かった部分を、有益な情報を得ることができるスペースとして有効活用することができる切り離し広告付きル−ズリーフ紙。【解決手段】  ルーズリーフ紙（１）の下部に、分割しえるミシン目の切り取り線（２）を設け、分割できる部分（３）に企業広告を印字して、ルーズリーフ紙の利用者の必要に応じて広告印字部分を切り離す事ができる切り離し広告付きルーズリーフ紙。【選択図】図１
0003128738.tif 000002
【実用新案登録請求の範囲】
【請求項１】
（イ）ルーズリーフ紙（１）の下部分に、分割しえるミシン目の切り取り線（２）を設ける。
（ロ）分割しえる部分（３）に、企業広告を印字する。
以上のごとく構成されたルーズリーフ紙。
【考案の詳細な説明】
【考案の詳細な説明】
この考案は、切り離して分割することができる企業広告付きのルーズリーフ紙に関するものである。
従来のルーズリーフ紙は、紙面全てを利用せずに余白が出来てしまうこと事が多かった。ルーズリーフには、ルーズリーフ紙を保存するためのファイルを常に持ち歩かなくても、使用したルーズリーフ紙を後でファイルに保存することができるというメリットがあるため、前回使用したルーズリーフ紙を使い終わらないうちに次のルーズリーフ紙を利用するケースが発生し、結果的に余白ができてしまうためである。
本考案は、その余白部分を有効利用するためになされたもので、これを図面について説明すれば、ルーズリーフ紙（１）に分割しえるミシン目のキリトリ線（２）を設け、分割できる部分（３）に企業広告を印字する。
本考案は、このような構造であるから、通常余白部分となるケースが多かった部分を有効活用でき、ルーズリーフ紙の利用者にとって有益な情報を得る事ができる。また、企業広告の印字部分を容易に切り離す事ができる構造となっているため、有益な情報だけを切り離して、別途保管したり持ち歩くことができるものである。
【図面の簡単な説明】
【図１】  本考案の平面図である。
【符号の説明】
１はルーズリーフ紙  ２は分割しえるミシン目の切り取り線  ３は分割できる部分
【図１】
0003128738.tif 000003
(57)【要約】【課題】二次元コードの従来の配布形態は、基本的に購入者を情報サービスの受け手として想定したものであり、購入者が二次元コードを他者に再配布するコミュニケーションツールとしての用途が想定されていないことから、効率性や利便性が低い。そこで、購入者が二次元コードを再配布して使用することを可能にし得るシールシートを提供する。【解決手段】表面に二次元コードが掲載され、裏面に粘着層を有する第１シール上に、表面に表示部を有し、裏面に粘着層を有する第２シールを剥離可能に重ね合わせてなる複数の二重シールを剥離可能に配置してあることを特徴とするシールシートで、複数の二重シールにおいてそれぞれの第１シールの表面に掲載されている二次元コードが互いに異なる。【選択図】図１
0003128737.tif 000002
【実用新案登録請求の範囲】
【請求項１】
表面に二次元コードが掲載され、裏面に粘着層を有する第１シール上に、表面に表示部を有し、裏面に粘着層を有する第２シールを剥離可能に重ね合わせてなる複数の二重シールを剥離可能に配置してあることを特徴とするシールシート。
【請求項２】
前記第２シール裏面の端には、粘着層を有しないことを特徴とする請求項１記載のシールシート。
【請求項３】
前記第２シールが第１シールより小さいことを特徴とする請求項１記載のシールシート。
【請求項４】
前記シールシートに配置してある複数の二重シールにおいて、それぞれの第１シールの表面に掲載されている二次元コードが互いに異なることを特徴とする請求項１、請求項２または請求項３記載のシールシート。
【請求項５】
前記シールシートの上部に、単独で別の二重シールが配置されていることを特徴とする請求項１、請求項２、請求項３または請求項４記載のシールシート。
【考案の詳細な説明】
【技術分野】
【０００１】本考案は、表面に二次元コードを備えたシール上に粘着層を介して表示シールを重ねあわせた二重シールを複数配置したシールシートに関するものである。
【背景技術】
【０００２】二次元コードを有する二重シールとしては、二重シールが台紙に剥離不能に固着された表示シール付アクセスカードを購入し、二次元コードによりホームページにアクセスすることが提案されている。（特許文献１）。
【特許文献１】実用登録３１１１６４８号公報
【考案の開示】
【考案が解決しようとする課題】
【０００３】従来の二重シールの利用は、基本的に購入者を情報サービスの受け手として想定したものであり、例えば、引用文献１において、二次元コードは台紙から剥離不能とされていることからも、購入者が二次元コードを他者に再配布するケースにおいての効率性や利便性は考慮されていないと言える。【０００４】例えば、本考案のシールシートの購入者が二次元コードを再配布するためには、二次元コードの掲載された第１シールはシールシートから剥離可能な必要があり、また、互いに異なる二次元コードが掲載された第１シールを有する複数の二重シールを用いて再配布する相手に応じた個別に異なる情報サービスを提供することができる。
【課題を解決するための手段】
【０００５】上記課題を解決するために、本考案のシールシートでは、表面に二次元コードが掲載され、裏面に粘着層を有する第１シール上に、表面に表示部を有し、裏面に粘着層を有する第２シールを剥離可能に重ね合わせてなる複数の二重シールを剥離可能に配置してある。
また、前記第２シール裏面の端には粘着層を有しないか、または、前記第２シールを第１シールより小さくしてあり、第２シールの剥離を容易にしている。また、第１シールの表面に掲載されている二次元コードが互いに異なる二重シールを用いている。
さらに、シールシートの上部に、単独で別の二重シールが配置されている。
【考案の効果】
【０００６】上記の手段により、例えば購入者が自分の交友関係から複数人を選び、携帯ＷＥＢのホームページで情報サービスを共有するユーザグループを構築する場合、二重シールをシートから剥離して渡せば、二次元コード読み取り機能を備える携帯電話によって、容易にアクセスしてもらうことができる。【０００７】また、前記第２シールの表面の表示面には、最初からイメージ絵等の表示がなされている場合や、購入者が表示できるように白紙もしくは記入欄のみの場合もあるが、イメージ絵や文章など様々な表示ができることから、カードやはがきに貼った際に、デザイン性やメッセージ性のあるコミュニケーションツールとしても機能する。【０００８】また、二次元コードを露出しておくと不都合な環境において、前記第２シールは二次元コードの防護の役割を果たすことができる。【０００９】第２シール裏面の端には粘着層を有しない場合、または第２シールが第１シールのサイズ以下である場合、第２シールを指先ではがす際に、指先の掛りがよくなり便利である。【００１０】本発明のシールシートおよび二重シールは、それぞれ任意の大きさのものを用いることができるが、例えば、シールシートがはがきサイズで、二重シールが切手サイズであると二重シールを縦横に６個〜２０個程度並べて配置できて便利である。これにより、第２シール表面にデザイン性やメッセージ性のある表示をした際、視認性の上で有意なスペースを有した複数の二重シールを、手頃なはがきサイズのシールシートで提供することができる。【００１１】また、上記二重シールが配置してあるシールシートの上部に、単独で別の二重シールが配置されていると、例えば単独で配置した二重シールはグループのリーダー認証の役割を持たせ、配置した複数の二重シールはグループのメンバー認証の役割を持たせた場合に、その役割の違いを視覚的な効果としてユーザに伝達できる。【００１２】本考案のシールシートは、二次元コードを掲載したシールと、その上にデザイン性やメッセージ性のあるイメージ絵を表示したシールを重ね合わせてなる二重シールが複数配置されている。このため、購入者が他者に二次元コードを再配布する場合に効率的であり、コミュニケーションツールとしてもより幅広い利用が可能である。また、二次元コードにより提供される情報サービスのバリエーションを広げることが可能である。
【考案を実施するための最良の形態】
【００１３】以下、本考案の実施例について図面を参照して説明する。
【実施例１】
【００１４】図１は、本考案の実施例１におけるシールシートを示す図である。このシールシートには、４段×３列の二重シールが配列されており、さらにその上部には単独で別の二重シールが配置されている。図１では、第２シール表面の表示部のイメージ絵は記号等であるが、記号等のように決まった範疇に統一されていなくてもよい。図１において、第２シールを部分的にはがした箇所があるが、第２シールの下には二次元コードを掲載した第１シールがシール台紙に剥離可能に粘着されている。【００１５】第２シール３は、繰り返し剥離可能な粘着層により第１シール２に粘着されている。【００１６】図２は、二重シールの断面図である。シール台紙１に第１シール２が粘着され、その第１シール２の上に第２シール３が粘着されている。
【図面の簡単な説明】
【００１７】
【図１】実施例１のシールシートを示す斜視図。
【図２】実施例１の二重シールの断面図。
【符号の説明】
【００１８】１…シール台紙、２…第１シール、３…第２シール、４…第１シール粘着層、５…第２シール粘着層
【図１】
0003128737.tif 000003
【図２】
0003128737.tif 000004
(57)【要約】      （修正有）【課題】液ダレと容器表面の内容液による汚れ防止、また空気置換性を改善しスムースな内容液の流出を得る液体容器を提供する。【解決手段】液体容器の液体吐出口を液体容器の平面投影の重心からできるだけ離れた位置に、設け且つ取っ手を吐出口と液体容器平面投影の重心との延長線上で吐出口の外周方向に設けることにより、液体を吐出させるとき吐出口が容器上部に来る様になし、吐出口に液体と空気の界面ができ、液体と空気の置換が容易になり、液体のスムースな流出が得られ、さらにより大きく傾けなければ容器から吐出させることが出来ないため、吐出部が、より鉛直から大きな角度で流出させることで吐出口に残る溶液の滴下を促し吐出部を溶液が汚しにくくした容器である。【選択図】図２
0003128721.tif 000002
【実用新案登録請求の範囲】
【請求項１】
液体容器の液体吐出口が液体容器の平面投影の重心からできるだけ離れた位置に設け、且つ取っ手を液体容器平面投影の重心と吐出口のほぼ延長線上で重心・吐出口・取っ手又は保持部となるように設けたスムースな液体流出と液だれ・液体による容器の外面の汚れ難い液体容器。
【考案の詳細な説明】
【技術分野】  液体容器の形状の改善により、液ダレと容器表面の内容液による汚れ防止、また空気置換性を改善しスムースな内容液の流出を得るものである。
【技術背景】
現在液体容器の吐出口はそのほとんどが容器の平面投影の重心に設けられており、内溶液がある程度消費されないと、液体の吐出と空気の置換がスムースに行われず、ゴボゴボと間欠的に流出したり、吐出時の吐出口の角度が鉛直に近いことから、吐出口の外壁を伝い流れ、容器の外壁を汚すことがある。
石油缶（一斗缶）・灯油用のポリタンク・ブリキ製の４リットル缶など容器の平面投影の重心点から外れて容器の端部に設けられているものもあるが、液体の吐出は、吐出口を重心より下にして液体を吐出させることを意図している。容器によく添付してある、舌状の吐出補助具は、吐出口を下に向けて、液体を吐出させようとする証拠であろう。
【考案の開示】
【考案が解決しようとする課題】  飲料水、シャンプー、洗剤、調味料などの液体容器の吐出口はそのほとんどが容器平面投影の重心位置に設けられており、そのため空気置換がスムースに行かず、間歇的な流出と、液切れの悪さと、容器表面を内溶液で汚すなどの問題が発生している。
上記問題点を避けるために空気置換用の孔を吐出口とは別に設けた容器も存在する
本考案は、空気置換を改善した容器を提供することにより、空気置換孔を設けることなく前記の課題を解決するものです。
【課題を解決するための手段】  液体容器の液体吐出口を液体容器の平面投影の重心からできるだけ離れた位置に、設け且つ取っ手を吐出口と液体容器平面投影の重心との延長線上で吐出口より外周方向に設けることにより、液体を吐出させるとき吐出口が容器上部に来る様になし、吐出口に液体と空気の界面ができ、液体と空気の置換が容易になり、液体のスムースな流出が得られ、さらにより大きく傾けなければ容器から吐出させることが出来ないため、吐出部が、より鉛直から大きな角度で流出させることで吐出口に残る溶液の滴下を促し吐出部を溶液が汚しにくくした容器の考案である。
【考案の効果】Ｆｉｇ１で考案の効果を説明します。容器を傾けて液体を吐出させるとき従来の吐出口を下にした場合の液面を破線で示し、本考案の場合を実線で示した。液面は、水平なので、液体は矢印の方向に落下する。本考案の場合は、傾きが小さい状態でも空気流通領域が存在し、スムースな流出が得られる。従来の容器の傾きは空気の流入が容器壁に邪魔されて、間歇的な流出となる。また吐出口の壁面との角度の差は明らかであり、吐出口外壁部分を伝わりにくくなっていることは明白である。
【実施例】            Ｆｉｇ２・３・４・５に示す。
【産業上の利用の可能性】
液状の物の容器として、シャンプー・食用油・ドレッシング・調味料・エンジンオイル等の家庭用品販売容器として、及び、家庭で液体を使用する容器として有用である。
【図面の簡単な説明】１：取っ手  ２：吐出口  ３：内容する液体  ４：吐出時の保持部
Ｆｉｇ１は効果の説明図。
【図１】
0003128721.tif 000003
【図２】
0003128721.tif 000004
【図３】
0003128721.tif 000005
【図４】
0003128721.tif 000006
【図５】
0003128721.tif 000007
【手続補正書】
【提出日】平成18年11月2日(2006.11.2)
【手続補正１】
【補正対象書類名】明細書
【補正対象項目名】図面の簡単な説明
【補正方法】変更
【補正の内容】
【図面の簡単な説明】
0003128721.tif 000008
【図２】  実施例１  取っ手を有する実施例。容器の平面図と立面図
【図３】  実施例２  取っ手を有する実施例。容器の平面図と立面図
【図４】  実施例３  保持部を有する実施例。容器の平面図と立面図
【図５】  実施例４  取っ手を有する実施例。容器の平面図と立面図
【符号の説明】
１：取っ手
２：吐出口
３：内容する液体
４：吐出時の保持部
【手続補正２】
【補正対象書類名】図面
【補正対象項目名】全図
【補正方法】変更
【補正の内容】
【図１−１】
0003128721.tif 000009
【図１−２】
0003128721.tif 000010
【図２】
0003128721.tif 000011
【図３】
0003128721.tif 000012
【図４】
0003128721.tif 000013
【図５】
0003128721.tif 000014
(57)【要約】【課題】観光バスの車内シート席に車椅子専用シート席を設けて障害者でも気軽に観光旅行に出かけられるように、またそのシート席を１〜３台「専用オペレーター」が運転することで乗客の安全が確保できるよう考えた装置です。【解決手段】自走式の車椅子シート席を車両後部よりリフトに乗りガイドレールに沿って車内に乗り入れ決められた位置に固定して出発、降車は固定フックをはずしてガイドレールに沿って１台ずつ社外に降車する、また車椅子席は１台ずつリモートコントロール運転可能だし複数運転も可能です。付添い人が車椅子席１台に１人ずつ付いての運転も可能です（背もたれに内蔵のコントロールパネルを引き出し運転）。【選択図】図１
0003128723.tif 000002
【実用新案登録請求の範囲】
【請求項１】
障害者の観光旅行を手助けするため観光バスに「専用・車椅子席」を取り付け専用・車椅子席のまま乗降出来る様に、装置を取り付けたバスの乗降装置です。
【請求項２】
専用・車椅子席の運転は専用オペレーターがラジオコントロール操作で複数台を１人で同時に運転できるようにした装置です。
【考案の詳細な説明】
【技術分野】
【０００１】観光バスに専用・車椅子型シート席を装備し、その乗降を補助する装置の設置、並びに健常者のお客には普通のシート席として使える特徴がある。
【背景技術】
【０００２】今までの観光バスは、車椅子の為のスペースを設けた車両はあったが専用・車椅子を設置し、その車椅子で乗客が座ったまま乗降できることと、車椅子の制御をオペレーターがすることによって乗客の安全が確保でき、シートを固定すれば普通シート席として使用することが出来る。
【考案が解決しようとする課題】
【０００３】車椅子のスペースを設けただけの車両では、車椅子が使用しない時は「空きスペース」になる。車椅子がガイドレールに沿って移動するので危険度が少ない。車椅子を固定すれば普通の観光バスとして使用できる。車椅子の移動は各個人が運転するとまとまりが付かず危険である。
【課題を解決するための手段】
【０００４】車椅子型シート席は後乗りの前降りで、ガイドレールに沿って決まった道順を移動、停止するので安心、しかもシート席を固定すれば通常の観光バスとして使用できる。シート席は自立運転もできるがオペレーターの持つコントロールボックスのスイッチで集中コントロールできるように（２〜４台）切り替えができる。
【考案の効果】
【０００５】自由に動けるシート席を設けたことで障害者・高齢者にも気軽にバスで観光地に出かけられるメリットとシート席を固定すれば通常観光バスとして使用が出来る。
また、シート席を集中コントロールすることで乗客の安全の確保が出来る。
【考案を実施するための最良の形態】
【０００６】あらかじめ乗車のために降車させておいたシート席に乗客を乗せ３点式シートベルトをセットして車体後部に設けたリフトに載せ客室高さまで上昇させガイドレールに沿って客室に乗り入れ規定の場所で停止・固定して乗車完了です。
降車のときは、固定フックを解除して車室内にセットされたガイドレールスロープに沿って降車し、オペレーターの集中コントロールにより運転を行う。【０００７】ガイドレールの溝は車椅子が出た後は自動的に蓋をして歩行者の妨げにならないようにフラットな床面になる。
【図面の簡単な説明】
【０００８】
【図１】      シートの配置図及びリフトの位置
【図２】      リフトの詳細図
【図３】      リフトの収納図（収納した時に車体外板と兼用）
【符号の説明】
【０００９】  １      車椅子乗車用リフト
２      ガイドレール
３      車椅子型シート
４      普通シート
５      バス車体
６      客席床板
７      リフト昇降用チェン
８      油圧シリンダー
９      リフト用ガイドレール
１０      滑車
１１      後輪用タイヤ
１２      転落防止枠
１３      非常口扉
【図１】
0003128723.tif 000003
【図２】
0003128723.tif 000004
【図３】
0003128723.tif 000005
【手続補正書】
【提出日】平成18年11月13日(2006.11.13)
【手続補正１】
【補正対象書類名】実用新案登録請求の範囲
【補正対象項目名】全文
【補正方法】変更
【補正の内容】
【実用新案登録請求の範囲】
【請求項１】
車体の長さ方向中央床面上にガイドレールを設け、該ガイドレールに沿って車椅子型シートの複数を移動させると共に、適宜固定可能になしてあることを特徴とした観光バス。
【請求項２】
上記車椅子型シートは車体の後部に設けたリフトに載せて乗車させ、車体の前部で降車させる構成になしてあることを特徴とした請求項１記載の観光バス。